(57)【要約】【課題】  従来、果樹の収穫作業や植木類の剪定作業、更には遊戯や屋根の保護などで、敷き物（シ−ト）を広げる作業に於て、それを展開させるには、人の手による以外に方法がなかった。それで敷き物（シ−ト）の展開作業は、複数の人が協力して引き合って展開させるか、一人での作業では予め敷き物の端に鉛等の錘を付けたり、まず敷き物の一端を固定してから他の端を引き出して固定する作業を繰り返して展開する等、大変面倒な作業であった。【解決手段】  敷き物に、その大きさに応じた長さのチュ−ブ状の軟質気密嚢を取り付けた構造として、使用場所に配置した敷き物に取り付けたチュ−ブ状の軟質気密嚢に、空気や水等の流動体を圧入して、チュ−ブ状軟質気密嚢が膨張勃起する作用で敷き物を自動的に展開させる機能を付加した。【選択図】        図１
2007209371.tif 000002
【特許請求の範囲】
【請求項１】
敷き物（シ−ト）に、その大きさに応じた長さのチュ−ブ状軟質気密嚢を形成し、又はチュ−ブ状軟質気密嚢を取付けた構造により、チュ−ブ状軟質気密嚢に空気や水等の流動体を圧入する事で、流動体の圧力によってチュ−ブ状軟質気密嚢が膨張勃起する作用により敷き物を展開させる機能を特徴とする、チュ−ブ状軟質気密嚢付き敷き物。
【請求項２】
敷き物（シ−ト）の端部分に、チュ−ブ状軟質気密嚢を取付けた構造の、チュ−ブ状軟質気密嚢付き敷き物において、チュ−ブ状軟質気密嚢に空気や水などの流動体を圧入して膨張させたチュ−ブ状軟質気密嚢により、敷き物の上に収容した物体が敷き物からのこぼれ落ち防止機能を有するチュ−ブ状軟質気密嚢付き敷き物。
【請求項３】
敷き物（シ−ト）の端部分に、チュ−ブ状軟質気密嚢を取りつけた構造のチュ−ブ状軟質気密嚢付き敷き物において、チュ−ブ状軟質気密嚢に質量の大きい流動体を圧入する事で、風等に耐える安定機能保有のチュ−ブ状軟質気密嚢付き敷き物。
【発明の詳細な説明】
【技術分野】
【０００１】
本発明は、各種の敷き物（シ−ト）の周囲や対角線状などに、チュ−ブ状の軟質素材の気密嚢を構成して、当該チュ−ブ状軟質気密嚢に空気または水などの流動体を圧入することで、チュ−ブ状軟質気密嚢を膨張勃起させて、敷き物（シ−ト）を展開させる技術に関するものであり、展開の他、敷き物の上に収容した物体のこぼれ落ちを防止したり、展開した敷き物が風等で動揺するのを防止するための技術である。
【背景技術】
【０００２】
従来の敷き物（シ−ト）に関する技術では、展開機能を備えた敷き物を発見出来ず、敷き物の周囲に固縛用ロ−プ掛け穴を設けたり、周囲に動揺防止用の錘を付けたものがあった。
【特許文献１】特許第３１４１２２９号
【発明の開示】
【発明が解決しようとする課題】
【０００３】
以上に述べた従来の敷き物（シ−ト）は、それを展開するためには、多人数で当該敷き物の周囲を分担して持って移動して展開するか、先ず敷き物の一部分を固定した後、他の部分を一部分ずつ引き出しては固定する動作を繰り返す必要があった。
【０００４】
また、当該敷き物に収容した物体のこぼれ落ちを防ぐには、敷き物の周囲に障害物を置いたり、敷き物の周囲を持ち上げる等の作業が必要であった。
【０００５】
更に、展開した敷き物の動揺を防ぐには、周囲に錘を置いたり、予め錘を付けて置く必要があった。
【０００６】
本発明は、このような従来の非能率的な使用法を改良し、敷き物（シ−ト）の展開を容易にすると共に、敷き物上の物体のこぼれ落ちや、敷き物（シ−ト）動揺を抑制しようとするものである。
【課題を解決するための手段】
【０００７】
本発明は上記の目的を達成するために、敷き物（シ−ト）の大きさに応じた長さの、チュ−ブ状軟質気密嚢を敷き物の周囲や対角線状等に形成するために、チュ−ブ状軟質気密嚢を敷き物に取付けたり、敷き物自体の素材が気密性の場合は、敷き物の素材自体を折り曲げてチュ−ブ状軟質気密嚢を形成したり、チュ−ブ状軟質気密嚢壁の一部に、敷き物の素材自体を利用したりして、チュ−ブ状軟質気密嚢付き敷き物を構成することができる。
【０００８】
本発明の敷き物を展開するためには、敷き物を設置場所に移動して包装を解き、上記のチュ−ブ状軟質気密嚢に空気又は、水等の流動体を圧入すれば、チュ−ブ状軟質気密嚢が膨張勃起する力で敷き物が自然に展開するものである。
【０００９】
また、当該敷き物に収容した物体のこぼれ落ち防止は、敷き物の周囲に設けて敷き物の展開に利用されたチュ−ブ状軟質気密嚢が膨張しているために、こぼれ落ちの阻止役を果たす。
【００１０】
更に、敷き物が風などでの動揺を防ぐためには、敷き物の周囲に設けて敷き物の展開に利用したのチュ−ブ状軟質嚢がその役割もはたすが、動揺防止の効果を更に高めるには、敷物の周囲に設けたチュ−ブ状軟質気密嚢に、水などの高比重の流動体を混合して注入するか、敷き物の周囲に液体用の軟質気密嚢を別に設けて、必要に応じて水など高比重の流動体を圧入して、敷き物の動揺を防止できる。
【発明の効果】
【００１１】
上述したように本発明のチュ−ブ状軟質気密嚢付き多敷き物（シ−ト）は、設置場所で流動体を圧入するだけで簡単に展開できる機能と共に、チュ−ブ状軟質気密嚢を敷き物の周囲に設けた場合は、当該敷き物の上に収容した物体のこぼれ落ちを防止し、更に、敷き物の周囲に設けたチュ−ブ状の軟質気密嚢に比重の大きな流体を注入すれば、展開した敷き物が風等での動揺を防止する効果をも有するチュ−ブ状軟質気密嚢付き敷き物である。
【発明を実施するための最良の形態】
【００１２】
以下、本発明の実施形態を図１〜図６に基づいて説明する。
【００１３】
図において、１は敷き物本体で、２は敷き物自体の素材の周囲を折り曲げて構成したチュ−ブ状軟質気密嚢であり、第１図は平面図、第２図では第１図Ａ−Ａ断面により、チュ−ブ状軟質気密嚢の空の状態を示す。
【００１４】
３はチュ−ブ状軟質気密嚢を敷き物自体の周囲に取付けて構成したもので、第４図は平面図、第５図では第４図Ｂ−Ｂ断面によりチュ−ブ状軟質気密嚢が空の状態を示す。
【００１５】
４は敷き物自体の素材の周囲を折り曲げて構成したチュ−ブ状軟質気密嚢２に、流動体を圧入して膨張させた状態であり、第１図Ａ−Ａ断面を示す。
【００１６】
５はチュ−ブ状軟質気密嚢を敷き物自体の周囲に取付けて構成したチュ−ブ状軟質気密嚢３に、流動体を圧入して膨張させた状態で、第４図Ｂ−Ｂ断面を示す。
【００１７】
６は、敷き物の動揺防止効果用として設けた、高比重流動体用のチュ−ブ状軟質気密嚢で、第５図では第４図Ｂ−Ｂ断面による、チュ−ブ状軟質気密嚢が空の状態を示す。
【００１８】
７は敷き物の動揺防止効果用として設けた、高比重用流動体用のチュ−ブ状軟質気密嚢６に、流動体を圧入して膨張させた状態を第５図Ｂ−Ｂ断面図で示す。
【００１９】
８はチュ−ブ状軟質気密嚢に流動体を圧入する注入口であり、９はチュ−ブ状軟質気密嚢に注入された流動体を排出する排出口である。
【００２０】
本発明では、前述のように敷き物が気密性素材の場合は第１図第２図に示すように、敷き物の素材自体を折り曲げてチュ−ブ状軟質気密嚢を形成する事もできるが、敷き物にチュ−ブ状軟質気密嚢を取付ることが一般的である。        
【００２１】
６の、高比重流動体用チュ−ブ状軟質気密嚢は、敷き物本体の最外側に設ける方が動揺防止に効果的である。                          
【００２２】
以下、上記構成の動作を説明すれば、流動体注入口８より空気等の流動体を圧入すれば、チュ−ブ状軟質気密嚢が膨張勃起するために、当該チュ−ブ状軟質気密嚢に接合された敷き物は、膨張勃起するチユ−ブ状軟質気密嚢に従って展開するものである。
【００２３】
また、敷き物を収納する時は、流動体排出口９により、チュ−ブ状軟質気密嚢に注入された空気等の流動体を排出すれば、通常の敷き物と同じ様に折りたたむ事も可能である。
【図面の簡単な説明】
【００２４】
【図１】気密性素材を用いた敷き物自体の周囲の折り曲げ加工で、敷き物の周囲にチュ−ブ状軟質気密嚢を形成した本発明の平面図
【図２】第１図におけるＡ−Ａ断面で、チュ−ブ状軟質気密嚢が空（流体の注入前）状態を示す
【図３】第１図におけるＡ−Ａ断面で、チュ−ブ状軟質気密嚢に流動体を圧入し膨張した状態を示す
【図４】敷き物の周囲に、チュ−ブ状軟質気密嚢を取り付た形態の本発明を、平面図で示す
【図５】第４図におけるＢ−Ｂ断面図で、チュ−ブ状軟質気密嚢が空（流体の注入前）状態を示す
【図６】第４図におけるＢ−Ｂ断面図で、チュ−ブ状軟質気密嚢に流動体を圧入し膨張した状態を示す
【符号の説明】
【００２５】
１  敷き物本体
２  敷き物素材の折り曲げ加工によるチュ−ブ状軟質気密嚢（空の状態を示す）
３  敷き物に取付けたチュ−ブ状軟質気密嚢（空の状態を示す）                  
４  ２に流動体を圧入した膨張状態を示す                            
５  ３に流動体を圧入した膨張状態を示す                          
６  高比重流動体用チュ−ブ状軟質気密嚢（空の状態を示す）
７  ６に流動体を圧入し膨張状態を示す        
８  流動体の注入口（チュ−ブ状軟質気密嚢用）
９  流動体の排出口（チュ−ブ状軟質気密嚢用）  
【図１】
2007209371.tif 000003
【図２】
2007209371.tif 000004
【図３】
2007209371.tif 000005
【図４】
2007209371.tif 000006
【図５】
2007209371.tif 000007
【図６】
2007209371.tif 000008